(57)【特許請求の範囲】
【請求項１】
一枚のブランクシートの箱体形成片から成り、前記箱体形成片には、互いに連接された側面と、前記箱体形成片が組立状態のとき前記連接された側面で形成される筒体の一開口端部を閉鎖する底部分が設けられ、組み立てられた前記筒体の中に所定形状に組み立てられて収容物を保持する仕切り片が設けられ、
前記仕切り片は、前記側面を前記筒体に糊付けする糊付片に連接して設けられ、前記糊付片と反対側の側縁部には、前記糊付片が糊付けされた側面に対して平行に位置する側面に糊付けされる仕切り片用糊付部が設けられ、
前記仕切り片には、組立状態で前記筒体の内側に立設される背面板と、前記収容物を収容する使用状態で、前記背面板に交差して連続する上面片と、前記上面片の下方に位置し前記筒体の前記底部分から離間し前記背面板に交差して連続する底面片と、前記上面片と前記底面片の、前記背面板とは反対側の端部同士を結ぶ立上片が設けられ、前記立上片の一方の側縁部には前記糊付片が連続して設けられ、他方の側縁部には前記仕切り片用糊付部が設けられ、
前記収容物を収容する前の組立状態で、前記底面片の、前記筒体の前記底部分に近い端部と、前記立上片の、前記筒体の前記底部分に近い端部とは、隣接して一致し、この隣接する端部には、前記筒体の他方の開口端部に向かって折り返される保持片が折罫線を介して設けられ、
前記収容物を収容する使用状態で、前記保持片が前記立上片に対して前記折罫線で鋭角に折られて上方に開口する空間を形成し、前記空間は前記立上片と前記底面片で囲まれた空間に連通することを特徴とする包装用箱。
【請求項２】
前記保持片は、前記立上片から突出する方向に沿う側縁部の、前記保持片の端部に近い部分が一定長さにわたって切り欠かれている請求項１記載の包装用箱。
【請求項３】
前記保持片と前記立上片とを区切る前記折罫線は、一対が設けられ、前記一対の折罫線は、互いに所定間隔離れて略平行に設けられている請求項１記載の包装用箱。
【発明の詳細な説明】
【技術分野】
【０００１】
この発明は、箱体と一体に緩衝用仕切りが設けられ、収容物を緩衝的に保護し、収容物についての説明書も収容する包装用箱に関する。
【背景技術】
【０００２】
従来、ブランクシートから一体的に打ち抜かれた箱体形成片を折り曲げて糊付けし、ワンタッチで引き起こして組み立て可能に形成された包装用箱がある。このような包装用箱には、ガラス瓶等の衝撃に弱い収容物を保持するための緩衝用の仕切り片が箱体形成片に一体に設けられているものがある。
【０００３】
たとえば、特許文献１に開示されている緩衝機能付包装用箱は、互いに連接された側面と、組立状態で連接された側面で形成される一開口端部を閉鎖する底部分と、前記底部分に交差して設けられている立上片と、前記立上片の上端部から折罫線を介して設けられ前記側面の一つに連続する上面片と、前記立上片と前記上面片の間の前記折罫線上には、収容物が嵌合される打ち抜き部が形成されている。この緩衝機能付包装用箱は、打ち抜き部に収容物を入れ、収容物と側面の間に収容物についての説明書を入れることができる。
【先行技術文献】
【特許文献】
【０００４】
【特許文献１】特開２０１１−２１９１５３号公報
【発明の概要】
【発明が解決しようとする課題】
【０００５】
上記背景技術の場合、説明書が小さく折り畳まれている場合、説明書の上端部が箱体の深さ方向の奥に位置し、取り出しにくいものである。特に収容物が入れられた状態では、収容物の側面で説明書が隠れることがあり、説明書の上端部を保持して引き上げることが難しい。近年は、薄い紙に情報を印刷し、小さく折り畳んで糊付けされたコンパクトな説明書があり、このようなコンパクトな説明書は、箱体の底部に落ちると取り出しにくいものである。そこで、説明書を取り出しやすくするために、側面に破断線を設ける等の工夫が考えられているが、側面の外観を損ねるという問題があった。
【０００６】
この発明は、上記背景技術の問題点に鑑みてなされたものであり、簡単な構造で底部及び緩衝用の仕切り片の組み立てが簡単且つ確実に行われ、収容物とともに、収容物についての説明書を、取り出しやすいように包装することができる包装用箱を提供することを目的とする。
【課題を解決するための手段】
【０００７】
本発明は、一枚のブランクシートの箱体形成片から成り、前記箱体形成片には、互いに連接された側面と、前記箱体形成片が組立状態のとき前記連接された側面で形成される筒体の一開口端部を閉鎖する底部分が設けられ、組み立てられた前記筒体の中に所定形状に組み立てられて収容物を保持する仕切り片が設けられ、前記仕切り片は、前記側面を前記筒体に糊付けする糊付片に連接して設けられ、前記糊付片と反対側の側縁部には、前記糊付片が糊付けされた側面に対して平行に位置する側面に糊付けされる仕切り片用糊付部が設けられ、
前記仕切り片には、組立状態で前記筒体の内側に立設される背面板と、前記収容物を収容する使用状態で、前記背面板に交差して連続する上面片と、前記上面片の下方に位置し前記筒体の前記底部分から離間し前記背面板に交差して連続する底面片と、前記上面片と前記底面片の、前記背面板とは反対側の端部同士を結ぶ立上片が設けられ、前記立上片の一方の側縁部には前記糊付片が連続して設けられ、他方の側縁部には前記仕切り片用糊付部が設けられ、前記収容物を収容する前の組立状態で、前記底面片の、前記筒体の前記底部分に近い端部と、前記立上片の、前記筒体の前記底部分に近い端部とは、隣接して一致し、この隣接する端部には、前記筒体の他方の開口端部に向かって折り返される保持片が折罫線を介して設けられ、前記収容物を収容した使用状態で、前記保持片が前記立上片に対して前記折罫線で鋭角に折られて上方に開口する空間を形成し、前記空間は前記立上片と前記底面片で囲まれた空間に連通する包装用箱である。
【０００８】
前記保持片は、前記立上片から突出する方向に沿う側縁部の、前記保持片の端部に近い部分が一定長さにわたって切り欠かれているものである。
【０００９】
前記保持片と前記立上片とを区切る前記折罫線は、一対が設けられ、前記一対の折罫線は、互いに所定間隔離れて略平行に設けられているものである。
【発明の効果】
【００１０】
本発明の包装用箱は、簡単な構造で底部と緩衝用の仕切り片の組み立てが簡単且つ確実に行われ、収容物とともに、収容物についての説明書を、取り出しやすいように包装することができる。特に、薄い紙に情報を印刷して折り畳んで糊付けされたコンパクトな説明書でも、底部から離間したＶ字形の空間に入れられるため包装用箱の底に落ちることがなく、使用する時に簡単に取り出して、読むことができる。また、収容物を取り出す前に説明書を簡単に取り出して、説明書を読んで使用方法を確認することができる。
【図面の簡単な説明】
【００１１】
【図１】この発明の一実施形態の包装用箱の部分破断斜視図である。
【図２】この発明の一実施形態の包装用箱の組立状態を示す縦断面図（ａ）と、使用状態を示す縦断面図（ｂ）である。
【図３】この発明の一実施形態の包装用箱の展開図である。
【発明を実施するための形態】
【００１２】
以下、この発明の実施形態について図面に基づいて説明する。図１〜図３はこの発明の一実施形態を示すもので、この実施形態の包装用箱１０は、厚紙等の一枚のブランクシートを打ち抜いて形成された箱体形成片１２を組み立てて形成されている。
【００１３】
図３は、箱体形成片１２を表面から見た展開図であり、箱体形成片１２の側面１４，１６，１８，２０は、連接している幅方向は同じ長さであり、連接方向の長さは側面１４，１８が長くて互いにほぼ等しく、側面１６，２０はやや短くて互いにほぼ等しい。さらに、側面１４の側縁部には、包装用箱１０の組立状態で側面２０の裏面に糊付けされる糊付片２２が設けられている。糊付片２２、側面１４，１６，１８，２０は、各々折罫線２４，２６，２８，３０で区切られている。
【００１４】
糊付片２２において、側面１４との連接方向に対して直角な方向の一端部には、矩形のフラップ用糊付け部３２が折罫線３４で区切られて設けられている。糊付片２２の、折罫線３４と反対側の端部２２ａは、折罫線２４から離れるにしたがって折罫線３４に近づく曲線で形成され、糊付片２２の外側に膨出する湾曲線であり、糊付片２２の折罫線２４に対して平行な側縁部２２ｂに連続している。
【００１５】
糊付片２２の側縁部２２ｂには、緩衝用の仕切り片３６が折罫線３７で区切られて設けられている。仕切り片３６は、糊付片２２との連接方向の長さが、側面１４，１８とほぼ等しい矩形であり、糊付片２２との連接方向に対して直角な方向の一方の端部３６ａは、隣接するフラップ用糊付け部３２の中心付近に位置し、反対側の端部３６ｂは、隣接する糊付片２２の端部２２ａよりも外側に突出している。端部３６ａの中心には、仕切り片３６の内側に向かってくぼむ円弧状の切り欠き部３５が設けられている。
【００１６】
仕切り片３６には、端部３６ａに隣接してＴ字形に形成される背面板３８が設けられている。背面板３８は、包装用箱１０の組立状態で、側面１４の裏面から所定間隔離れて略平行に対面するものであり、Ｔ字形の横棒部分は仕切り片３６の端部３６ａに一致し、Ｔ字形の縦棒部分は、仕切り片３６の中心線に沿って下方に延出し、仕切り片３６の中央付近に達している。背面板３８の上端部から下端部までの長さは、側面１４，１８よりも少し小さい。
【００１７】
背面板３８のＴ字形の縦棒部分の下端部には、Ｔ字形の縦棒部分と同じ幅の矩形の底面片４０が折罫線４２で区切られて設けられている。
【００１８】
仕切り片３６の、背面板３８のＴ字形の縦棒部分の両側には、細長い矩形の上面片４４が、縦棒部分の長手方向に沿って各々設けられている。上面片４４は、背面板３８の、Ｔ字形の横棒部分との間が折罫線４６で区切られ、Ｔ字形の縦棒部分との間には透孔５２が設けられて区切られている。透孔５２の、上面片４４側の側縁部の形状は、上面片４４の内側に膨出する円弧形状である。透孔５２の、背面板３８側の側縁部の形状は直線であり、折罫線４６と反対側の端部が、上面片４４側に向かって湾曲している。上面片４４の、折罫線４６と反対側の端部は、背面板３８と底面片４０を区切る折罫線４２よりも少し折罫線４６に近い位置に達している。
【００１９】
各上面片４４の折罫線４６と反対側の端部には、細長い矩形の立上片４８が、背面板３８の縦棒部分の長手方向に沿って設けられている。各立上片４８は、上面片４４との間が折罫線５０で区切られ、背面板３８の縦棒部分とそれに連続する底面片４０の間が、切断線５４で区切られている。立上片４８の、折罫線５０と反対側の端部は、底面片４０の折罫線４２と反対側の端部に一致して隣接している。
【００２０】
仕切り片３６と糊付片２２との間の折罫線３７は、背面板３８と上面片４４に隣接する部分が、折罫線３７上に位置する直線の切断線５６で区切られている。切断線５６の途中の１か所には切り残し部が設けられている。そして、仕切り片３６の、折罫線３７と反対側の側縁部には、仕切り片用糊付部５８が折罫線６０で区切られて設けられている。仕切り片用糊付部５８は、仕切り片３６との連接方向の長さが糊付片２２とほぼ同じに設けられた矩形である。仕切り片用糊付部５８は、仕切り片３６との連接方向に対して直角な一方の端部５８ａが上面片４４の折罫線４６の近傍に位置し、反対側の端部５８ｂが立上片４８の長手方向の途中に位置している。仕切り片３６と仕切り片用糊付部５８の間の折罫線６０は、上面片４４に隣接する部分が、折罫線６０上に位置する直線の切断線６２で区切られている。切断線６２の途中の１か所には切り残し部が設けられている。
【００２１】
底面片４０の、折罫線４２とは反対側の端部と、立上片４８の、折罫線５０とは反対側の端部は隣接して一致し、この隣接する端部には１個の保持片６４が折罫線６６で区切られて設けられている。保持片６４は、変形した矩形であり、仕切り片３６の折罫線６０の延長線上に位置する側縁部は、保持片６４の折罫線６６と反対側の端部６４ａに近い部分が一定長さにわたって切り欠かれている。これは、後述する説明書１３を取りやすくするためである。保持片６４の、仕切り片３６の折罫線３７の延長線上に位置する側縁部は、折罫線６６に近づくにつれて斜めに切り欠かれている。なお、立上片４８も折罫線６６に連続する部分が小さく切り欠かれ、これは包装用箱１０の折り畳み状態の時に後述する第二底蓋片１０２の糊付片１０６に重ならないように設計されている。保持片６４の、折罫線６６に近い位置には、折罫線６６に対して平行な折罫線６８が設けられている。
【００２２】
側面１４の、糊付片２２の折罫線３４に隣接する端部には、上蓋片７０が折罫線７２で区切られて設けられている。上蓋片７０の、折罫線７２の反対側の端部には、さらに差込片７４が折罫線７６で区切られて設けられている。
【００２３】
側面１４の、折罫線７２と反対側の端部には、底部分を形成する変形した台形状の第一底蓋片７８が折罫線８０で区切られて設けられている。第一底蓋片７８の折罫線８０から折罫線８０に対して平行な端部７８ａまでの長さは、包装用箱１０の組立状態で端部７８ａが底面の中心線を超える長さに設けられている。第一底蓋片７８の側面１６に近い傾斜した辺の途中には、略三角形の糊付片８２が折罫線８４で区切られて設けられている。折罫線８０から、糊付片８２の、端部７８ａ側の基端部までの長さは、包装用箱１０の組立状態で底面の中心線付近に位置する長さに設けられている。第一底蓋片７８の、糊付片８２の端部７８ａ側に隣接する部分には、底部の組み立てを維持するために後述する第二底蓋片１０２が係止される小さい切り欠き部８６が設けられている。
【００２４】
側面１６の、側面１４の折罫線７２に隣接する端部には、台形状のフラップ８８が折罫線９０で区切られて設けられている。側面１６の、折罫線９０と反対側の端部には、底部分を形成する略三角形状のフラップ９２が折罫線９４で区切られて設けられている。フラップ９２の、側面１４に近い傾斜した辺には、折罫線９４と交差する部分に、外側に突出する小さい突部９６が設けられている。
【００２５】
側面１８の、側面１６の折罫線９０に隣接する端部１８ａは、開封時の正面に位置し、他の部材が設けられていない。側面１８の端部１８ａ近傍には、端部１８ａの中央付近に矩形の糊付け部９８が設けられている。糊付け部９８は、端部１８ａに連続するコの字形の開封用破断線１００で囲まれて周囲と区切られている。
【００２６】
側面１８の、端部１８ａと反対側の端部には、底部分を形成する変形した台形状の第二底蓋片１０２が折罫線１０４で区切られて設けられている。第二底蓋片１０２の折罫線１０４から折罫線１０４に対して平行な端部１０２ａまでの長さは、包装用箱１０の組立状態で端部１０２ａが底面の中心線を超える長さに設けられている。第二底蓋片１０２の側面２０に近い傾斜した辺の途中には、略三角形の糊付片１０６が折罫線１０８で区切られて設けられている。折罫線１０４から、糊付片１０６の、端部１０２ａ側の基端部までの長さは、包装用箱１０の組立状態で底面の中心線付近に位置する長さに設けられている。第二底蓋片１０２の、糊付片１０６の端部１０２ａ側に隣接する部分には、底部の組み立てを維持するために第一底蓋片７８の切り欠き部８６が係止される小さい切り欠き部１１０が設けられている。第二底蓋片１０２の、側面１６に近い傾斜した辺と端部１０２ａが交差する角部は丸く面取りされ、包装用箱１０の組み立ての時に他部材に当接しないように設計されている。
【００２７】
側面２０の、側面１８の端部１８ａに隣接する端部には、フラップ８８と同形状のフラップ１１２が折罫線１１４で区切られて設けられている。側面２０の、折罫線１１４と反対側の端部には、底部分を形成する台形状のフラップ１１８が折罫線１２０で区切られて設けられている。フラップ１１８の、折罫線１２０から折罫線１２０に対して平行な端部１１８ａまでの長さはフラップ９２の長さよりも長く設けられている。
【００２８】
なお、各折罫線８０，９４，１０４，１２０は、曲げやすいように破断線で設けられても良く、その他の折罫線にも必要に応じて破断線を設けても良い。
【００２９】
次に、この実施形態の包装用箱１０の組立方法について説明する。なお、ここでは図３が１０の箱体形成片１２の表面側を見たものであり、箱体形成片１２の表面側が凸になる折り方を正折り、そして裏面側が凸になる折り方を逆折りとする。
【００３０】
まず、仕切り片３６の折罫線６６を正折りし、仕切り片用糊付部５８の表面に糊１２２を塗布し、折罫線３７を正折りする。次に、糊付片８２，１０６の裏面に糊１２４，１２６を塗布し、折罫線８４，１０８で糊付片８２，１０６を逆折りし、折罫線８０，９４，１０４，１２０を正折りする。
【００３１】
そして、糊付片２２とフラップ用糊付け部３２の表面に糊１２８を連続して塗布し、折罫線２６を正折りし、これにより仕切り片用糊付部５８の表面は糊１２２により側面１６の裏面に糊付けされ、糊付片８２の裏面は糊１２４によりフラップ９２の表面に糊付けされる。次に、折罫線３０を正折りし、これにより糊付片２２の表面は側面２０の裏面に糊付けされ、上蓋片用糊付け部３２はフラップ１１２の裏面に糊付けされ、糊付片１０６の裏面は糊１２６によりフラップ１１８の表面に糊付けされる。この様にして、箱体形成片１２は折り畳み状態となり、この折り畳んだ状態で出荷される。
【００３２】
次に、収容物を包装する工場において、折罫線２４，２６，２８，３０を各々９０°に正折りし、側面１４，１６，１８，２０を四角形の筒体にする。すると、第一底蓋片７８は側面１４からフラップ９２とともに引き起こされて、折罫線８０で直角に正折りされ、同時に第二底蓋片１０２は側面１８からフラップ１１８とともに引き起こされて折罫線１０４で直角に正折りされる。さらに、第一底蓋片７８の切り欠き部８６と第二底蓋片１０２の切り欠き部１１０が互いに係止され、逆戻りが防止され、底部が形成されて図２（ａ）に示す状態となる。この時仕切り片３６は、折罫線３７，６０が９０°に正折りされ、側面１４から引き起こされて、糊付片２２と仕切り片用糊付部５８の幅で側面１４から離間して平行に対面する。仕切り片３６が側面１４から引き起こされるとき、側面１４に折り重ねられた第一底蓋片７８とフラップ９２の近傍を通過するが、フラップ９２は小さく形成され、引き起こされる仕切り片３６が通過可能でありぶつかることがなく、円滑に引き起こされる。フラップ９２は小さく形成されているが、突部９６が形成されているため、組み立てられた時に底部に隙間が生じることがない。
【００３３】
仕切り片３６の端部３６ａは、四角形の筒体の開口端部から上方に突出する。突出する仕切り片３６の端部３６ａを包装用箱１０の中に押し込み、背面板３８のＴ字形の縦棒部分を側面１８に近づけるように押す。すると、切断線５６，６２の切り残し部が切断され、折罫線４６が９０°に正折りされ、折罫線５０が９０°に逆折りされ、一対の上面片４４が底部に対して平行にセットされる。この時、折罫線４２が９０°に正折りされ、底面片４０も上面片４４よりも下で底部に対して平行にセットされ、図１、図２（ｂ）に示すように立体的に組み立てられる。保持片６４は、折罫線６６が鋭角に開いて立上片４８との間にＶ字状の空間１３０が形成される。
【００３４】
この状態で、収容物１１を中に入れる。収容物１１は、例えば医薬品が入れられたバイアルである。収容物１１は、一対の上面片４４の間に側面が嵌合され、底面片４０に底部が保持される。上面片４４には透孔５２の側縁部の形状である円弧形状が切り欠かれ、収容物１１の側面に沿っている。収容物１１の側面の一部は、一対の立上片４８の間に保持される。収容物１１は水平方向と垂直方向に対して、緩衝的に保護される。そして空間１３０に、収容物１１についての情報が印刷された説明書１３を入れる。説明書１３は、薄い紙に情報を印刷して折り畳んで糊付けされたコンパクトなものである。保持片６４には折罫線６８が設けられ、説明書１３を入れる時に折罫線６８は鈍角に正折りされ、空間１３０が広くなる。そして、折罫線９０，１１４でフラップ８８，１１２を９０°に正折りし、その後折罫線７２で上蓋片７０を９０°に正折りし、差込片７４を折罫線７６で９０°に正折りし、差込片７４を側面１８の端部１８ａから側面１８の裏面に差し込んで係止する。このとき、糊付け部９８の裏面に糊１３２を塗布して差込片７４に糊付けして閉鎖し、包装が完了する。説明書１３は、保持片６４と立上片４８の間の空間１３０に保持され、包装用箱１０の底に落ちることがなく、開口端部の近傍に位置し、取り出しやすい。
【００３５】
収容物１１を使用する時は、側面１８の糊付け部９８を押して開封用破断線１００を切断し、上蓋片７０を上方に引き上げる。糊付け部９８は差込片７４に貼り付いたまま側面１８から分離し、開封される。包装用箱１０から説明書１３を取り出し、説明書１３を読んで使用方法を確認し、収容物１１を包装用箱１０から取り出して説明書１３の説明の通りに使用する。
【００３６】
この実施形態の包装用箱１０によれば、簡単な構造で底部と緩衝用の仕切りの組み立てがワンタッチで確実に行われ、収容物１１とともに、収容物１１についての説明書を、取り出しやすいように包装することができる。薄い紙に情報を印刷し小さく折り畳まれた説明書１３でも、底部から離間したＶ字形の空間１３０に入れられるため、包装用箱１０の底に落ちることがなく、包装用箱１０の開口端部の近傍に位置し、使用する時に簡単に取り出して、読むことができる。従って、収容物１１を取り出す前に説明書１３を簡単に取り出して、説明書１３を読んで使用方法を確認することができる。仕切り片３６は、組立が簡単であり、包装用箱１０の開口端部から上方に突出する仕切り片３６の端部３６ａを押し込む簡単な操作で、立体的に組み立てることができる。さらに、説明書１３を取り出しやすくするために側面に破断線を設ける等の工夫をする必要がなく、側面の外観を損ねることがなく、自由にデザインすることができる。仕切り片３６は、背面板３８、底面片４０、上面片４４、立上片４８により収容物１１の４方向から保持し、包装用箱１０の各側面に接触することがなく、緩衝効果が高いものである。特に底面片４０が面でバイアルの底部を保持するため、底面片４０の弾性によりバネ性があり、上下方向の衝撃に強く、高価な医薬品も安全に運搬し保管することができる。しかも、空間１３０に入れられた説明書１３が収容物１１の側面に当接し、緩衝効果も高めるものである。
【００３７】
なお、この発明の包装用箱は、上記実施形態に限定されるものではない。仕切り片の構造や大きさは収容物の形状や数に合わせて適宜変更可能である。箱体形成片の素材も、紙や合成樹脂など、適宜変更可能である。仕切り片は、糊付片以外の部材に連続して設けられてもよい。底部と上蓋、開封用破断線等の形状も適宜変更可能である。
【符号の説明】
【００３８】
１０  包装用箱
１１  収容物
１２  箱体形成片
１４，１６，１８，２０  側面
２２  糊付片
３６  仕切り片
３８  背面板
４０  底面片
４４  上面片
４８  立上片
５８  仕切り片用糊付部
６４  保持片
７８  第一底蓋片
８８，９２、１１２，１１８  フラップ
９６  突部
１０２  第二底蓋片
１３０  空間
【図１】
0006764638.tif 000002
【図２】
0006764638.tif 000003
【図３】
0006764638.tif 000004